(57)【要約】【課題】マグネットボタンの着脱を繰り返し行っても、マグネットボタン係止部の布地の破れや糸切れがないマグネットボタンを提供することを目的とする。【解決手段】リング形状の永久磁石１と、該永久磁石１を保持可能な有底筒形状の金属からなるマグネットホルダー２とを備えたマグネットボタンにおいて、前記マグネットホルダー２の底面に凹部３を形成すると共に、該凹部３に円盤形状の裏留め用力ボタン４が線接触するように配設し、マグネットホルダー凹部３壁面と力ボタン４角部で布地６を挟持するように、マグネットボタン１２を糸７で布地６に取り付けるものである。【選択図】  図３
2005270597.tif 000002
【特許請求の範囲】
【請求項１】
リング形状の永久磁石と、該永久磁石を保持可能な有底筒形状の金属からなるマグネットホルダーとを備えたマグネットボタンにおいて、前記マグネットホルダーの底面に凹部を形成すると共に、該凹部に円盤形状の裏留め用力ボタンが線接触するように配設したことを特徴とするマグネットボタン。
【発明の詳細な説明】
【発明の詳細な説明】
【技術分野】
【０００１】本発明は衣類の合わせ目などを留めるために用いる留め具及びその製造方法に関するものである。
【背景技術】
【０００２】従来の一般的なボタンは、衣類の合わせ目などにおいて、樹脂や金属などの円盤状のボタンを糸で係止し、該ボタンを合わせ目の他方に設けたボタンホールに潜らせることによって留めるものである。しかし、手の不自由な障害者や高齢者、幼児などが上記のようなボタンの着脱を行うのは非常に困難であった。【０００３】このような不都合を低減するために永久磁石を利用したマグネットボタンがある。（例えば、特許文献１参照。）以下、図５〜図７により従来のマグネットボタンについて説明する。このマグネットボタン１２は、有底筒形状の金属からなるマグネットホルダー２にリング形状の永久磁石１を装着したもので、衣類の合わせ目に相反する磁性（Ｎ極とＳ極）の永久磁石を備えた一対のマグネットボタン１２が糸７で係止され、この一対のボタンが引き合う力により衣類の合わせ目を留めるものである。そのため、マグネットボタン１２を引き離す際に、マグネットボタン１２係止部の布地６に掛かる力は、上述の一般的なボタンに比べ大きく、係止部の布地６が破れるなどの不都合が生じていた。その対策としては、ボタン係止部の布地６を保護することを目的に、一般的なボタンに使用されている力ボタン４を布地６の裏に配設し、マグネットホルダー２と力ボタン４で布地６を挟持するように、糸７で布地６に取付ける方法がある。しかし、一対のマグネットボタン１２を引き離す際には略鉛直方向の力１０以外に略水平方向の力１１が生ずる。そのため、布地６とマグネットホルダー２または力ボタン４との間８にすべりが生じ、布地６が破れたり、糸７切れなどが起こることがあった。
【特許文献１】実開昭５３−１１０００１
【発明の開示】
【発明が解決しようとする課題】
【０００４】マグネットボタンは一般的なボタンに比べ、着脱が簡易で確実に行えるなどの効果はあるものの、マグネットボタン係止部の布地が破れたり、糸切れなどの不都合が生じるため、普及しなかった。【０００５】本発明は、以上のような従来のマグネットボタンにおける課題を解決し、マグネットボタンの着脱を繰り返し行っても、係止部の布地破れや糸切れがない、マグネットボタンを提供することを目的とする。
【課題を解決するための手段】
【０００６】この課題を解決するための本発明の手段として請求項１記載の発明は、リング形状の永久磁石と、該永久磁石を保持可能な有底筒形状の金属からなるマグネットホルダーとを備えたマグネットボタンにおいて、前記マグネットホルダーの底面に凹部を形成すると共に、該凹部に円盤形状の裏留め用力ボタンが線接触するように配設したことを特徴とするマグネットボタンである。【０００７】以下に上述の手段に対する作用について説明する。請求項１に記載のマグネットボタンによれば、衣類の合わせ目に相反する磁性（Ｎ極とＳ極）の永久磁石を備えた一対のマグネットボタンが糸で係止され、この一方のボタンを他方に近づけるだけで両者が結合する方向に永久磁石の引き付ける力が働き、簡単に衣類の合わせ目を留めることができる。さらに、マグネットホルダー底面の凹部に、円盤形状の力ボタンが線接触するように配設し、マグネットホルダー凹部壁面と力ボタン角部で布地を挟持するように、マグネットボタンを糸で布地に取り付ける。このように、布地とマグネットホルダー、力ボタンが一体化される構造により、一対のマグネットボタンを引き離す際に略鉛直方向の力あるいは略水平方向の力が生じても、布地や糸に掛かる力が局所に集中することはないため、布地の破れや糸切れを防止できる。
【発明を実施するための最良の形態】
【０００８】図１〜図４、図７に発明の実施について一形態を示す。図１は本発明のマグネットボタンの平面図で、図２は図１のマグネットボタンを示すＸ−Ｘ断面図で、図３は図１のマグネットボタンと力ボタンを布地に取り付けた時の断面図で、図４は一対のマグネットボタンを引き離す際の断面図で、図７はマグネットボタンを衣類に取り付けた時の平面図である。【０００９】当該マグネットボタンは図１、図２に示すように有底筒形状の金属からなるマグネットホルダー２にリング形状の永久磁石１を装着したものである。マグネットホルダー２は、図１、図２に示すように、底面に凹部３を形成すると共に、該凹部３にボタン固定用の貫通針穴９を設けものである。なお、図１では貫通針穴９が４個の場合を示してあるが、２個やそれ以外でも良い。図３に示すように当該マグネットボタン１２（マグネットホルダー２に永久磁石１を装着したもの）は、ボタン取付部の布地６を保護することを目的に裏留め用力ボタン４とともに用いる。具体的には、マグネットホルダー２底面の凹部３に、円盤形状の力ボタン４が線接触５するように配設し、マグネットホルダー凹部３壁面と力ボタン４角部で布地６を挟持するように、マグネットボタン１２を糸７で布地６に取り付ける。図４に示すように、布地６とマグネットホルダー２、力ボタン４が一体化される構造により、一対のマグネットボタン１２を引き離す際に略鉛直方向の力１０あるいは略水平方向の力１１が生じても、布地や糸に掛かる力が局所に集中することはないため、布地６の破れや糸７切れを防止できる。【００１０】このようなマグネットボタンは、図７に示すように、衣類の合わせ目に用いられる。具体的には、相反する磁性（Ｎ極とＳ極）の永久磁石を備えた一対のマグネットボタン１２が布地６に糸７で係止され、この一方のボタンを他方に近づけるだけで両者が結合する方向に永久磁石の引き付ける力が働き、簡単に衣類の合わせ目を留めることができる。【００１１】以上、実施の一形態を紹介したが、本発明に係わるマグネットボタンの実施はこれに限るものではない。例えば、布地６の破れ保護のために用いた力ボタン４の代わりに、インベル芯やフェルト裏地などによる補強材料を布地６に用いることも可能である。
【発明の効果】
【００１２】請求項１記載のマグネットボタンによれば、永久磁石を備えた一対のボタンが衣類の合わせ目を留めることから、従来の一般的なボタンに比べ簡単に着脱可能となり、手の不自由な障害者や高齢者、幼児なども自分で着脱可能となる。また、マグネットホルダー凹部壁面と力ボタン角部で布地を挟持するように、マグネットボタンを糸で布地に取り付けることにより、マグネットボタンを繰り返し着脱しても、布地の破れや糸切れが起こりにくい。さらに、当該マグネットボタンは意匠の面でも違和感がなく、従来の一般的なボタンを代替することができる。
【図面の簡単な説明】
【図１】本発明のマグネットボタンの平面図である。
【図２】図１のマグネットボタンを示すＸ−Ｘ断面図である。
【図３】図１のマグネットボタンと力ボタンを布地に取り付けた時の断面図である。
【図４】一対の図１のマグネットボタンを引き離す際の断面図である。
【図５】従来のマグネットボタンと力ボタンを衣類に取り付けた時の断面図である。
【図６】一対の従来のマグネットボタンを引き離す際の断面図である。
【図７】マグネットボタンを衣類に取り付けた時の平面図である。
【符号の説明】
１  永久磁石
２  マグネットホルダー
３  凹部
４  力ボタン
５  線接触
６  布地
７  糸
８  マグネットボタン
９  貫通針穴
１０  略鉛直方向の力
１１  略水平方向の力
１２  マグネットボタン
【図１】
2005270597.tif 000003
【図２】
2005270597.tif 000004
【図３】
2005270597.tif 000005
【図４】
2005270597.tif 000006
【図５】
2005270597.tif 000007
【図６】
2005270597.tif 000008
【図７】
2005270597.tif 000009